(57)【要約】【課題】  人の手の届かない高さを必要とする開閉式テントにおいて、屋根となる中央部分から補強用の骨組みを完全に取り除くとともに、補強用の骨組みのある開閉式テントと同等の緊張状態をシート全体に持たせる。又、実際に産業上での普及の為に、従来工法よりも低コストであると共に、簡便な方法で設営出来る構造を構築する。【解決手段】  屋根の部分となるシートは、シートから地上に吊り下げたケーブルを用いて、カーテンを引く要領で設営する。開閉で利用したケーブルを中央の支柱に固定する時に、シートの端と、シートの端を地上面と水平に延長して支柱と交わる場所と、開閉用ケーブルを固定した支点が直角三角形となる位置関係を構築した後、開閉用で利用したケーブルを中央の支柱側に押さえつけながら動滑車を上部に移動させる事によって、シート全体に均等な緊張状態を構築させる。又、動滑車を用いる事により、緊張状態を構築する負荷を大幅に軽減させる。【選択図】    図２
2005213997.tif 000002
【特許請求の範囲】
【請求項１】
開閉用及び補強用として用いるケーブルを有すシートと、
シートを開いた状態の時にシートの４隅に位置し、固定設置される４本の支柱と、
シートを開く側の支柱間の中間地点に位置し、固定設置される１本の支柱と、
開閉方向と平行に位置する支柱間を結ぶ２本のフレームと、
開閉方向と垂直に位置する支柱間を結ぶ２本のフレームから構成され、
シートを開く側の支柱間の中間地点に位置し、固定設置される１本の支柱には、開閉用に用いるケーブルを固定させる接合部及び動滑車を有し、
シートを開く側の支柱間のフレームには動滑車を支柱上部に引き上げる定滑車及びケーブルを有し、
開閉方向と平行に位置する支柱間を結ぶ２本のフレームにはシートをつるし移動させる接合部を有す状態で、
開閉用として用いるケーブルを、動滑車の上部を通して支柱に固定した上で、動滑車を支柱上部に移動させる時に、
開閉用として用いるケーブルが、動滑車の移動と連動してシート全体の緊張状態を高める構造を特徴とする開閉式テント。
【請求項２】
開閉用に用いるケーブルを支柱に固定した時に、シートを開く方向のシートの端と、シートを開く方向へシートの端を地上面と水平に延長した場合に支柱と交わる箇所と、開閉用に用いるケーブルを固定した支点が、直角三角形の形となる事を特徴とする請求項１記載の開閉式テント。
【請求項３】
開閉方向に対して垂直な位置関係にある補強用ケーブルが、シートを支えながら、シートの両端に位置する、フレームとシートの接合部同士をつなぎ、シートを閉じたときには、シートがジャバラ状に収納される事を特徴とする請求項１記載の開閉式テント。
【請求項４】
開閉用として用いるケーブルが、動滑車に付属し動滑車に対して垂直方向に備えられる滑車の上部を経由して固定される事を特徴とする請求項１記載の開閉式テント。
【発明の詳細な説明】
【技術分野】
【０００１】  この発明は、最上部には人の手が届かない大きさの開閉式テント及び簡易式の屋根構造に関する技術分野に含まれる。従来の構造を簡素化し、コストダウンと作業性の向上を実現させると同時に、全体に必要な強度を維持させる為の手法である。【０００２】  特に屋根の部分を開閉式とする必要性があり、且つ屋根を必要としない場合には、上部の屋根の部分に補強用の骨組みが無い状態が求められる設置場所において有効な技術であり、低コストであると共に簡便な作業で全体の緊張状態を均等に配分させる事を実現可能とした点が特徴である。
【背景技術】
【０００３】  大型のテント及びシートハウス及びスポーツ施設等におけるインドア設備は、数名で利用するテントと比べて、いかに全体の強度を維持させるかが重要な技術要素となる。特にテニスコート等のスポーツ施設の場合は、プレーに影響を与えないだけの高さが必要とされ、頑丈な固定式のフレームを用いたインドア設備を建築する場合が多い。【０００４】  インドア設備よりも簡単な開閉式テントであっても、雨が溜まらないように中央部分を高くする為と全体の強度維持の為、屋根の部分に補強用の骨組みを備え、その部分は固定式となっている場合が多い。【０００５】  屋根の部分に常設の骨組みを持たない開閉式テントにおいて、人の手の届く範囲の大きさの場合は、設営時に毎回フレームを構築して全体を緊張させるという方法となる。人の手の届かない大きさの場合は、開閉方向に対して垂直方向に強度の強いフレームを組み込み、そのフレームを可動させる為のレールを開閉方向と水平に位置する支柱間の空中か、地上に用意して可動させるという方法となる。（例えば、特許文献１参照）他には、空気圧によってテント内部の圧力を維持させるという方法がある。（例えば、特許文献２参照）
【特許文献１】特許番号、第２９４８５５７号  図１
【特許文献２】特許番号、第２８２４７４３号  図１
【発明の開示】
【発明が解決しようとする課題】
【０００６】  従来技術の場合、それぞれに問題が残されている。解決するべき問題を順に述べると、前後、左右に固定式の骨組みを持つ開閉式テントやシートハウスの場合、特にテニスコート等のスポーツ施設に利用する上で、たとえ屋根を収納したとしても、残った天井部分の骨組みにボールが当たる等の懸念がある為、望ましい構造では無い。又、天井部分に骨組みの無い状態と比べて開放感を犠牲にする必要があり、既設のテニスコートに設置するには抵抗感を持たれる。産業上では、クレーンを用いて上部から設備を搬入する必要性がある場合等、天井部分の中央の骨組みは作業の障害となる。【０００７】  以上から十分な強度を持ちながら、天井部分にはまったく骨組みを持たない構造が求められているが、既存製品では以下の２とおりしか方法が無い。ひとつは、作業者が設営時に毎回骨組みを設営するという方法である。この方法の場合は上部にも手の届く範囲の大きさのテントである事が前提となる為、スポーツ施設等の大きさの場合の解決方法とはならない。ふたつめは、開閉する方向に対して垂直方向だけで補強させるという方法である。開閉する方向に対して垂直方向に強力な骨組みを用意し、骨組みには連動して広がるシートを備え、収納された複数の骨組みを引き伸ばす要領で設営させる。この構造の場合は、作業性の点では問題無く、かなり大きなスペースであっても実現出来る。あらかじめ曲線の骨組みにすれば、雨が溜まる事も防ぐ事が可能である。しかし、骨組みを可動させる為のレールを空中か地上に用意する必要がある。空中に用意される場合は、それを支える支柱にも強い強度が求められ、高いコストを必要とする。又、前後のスペースが設置場所によって異なる為、設置する場所に併せてレールの長さを特注として生産する必要があり、この点でもコストを要する。地上にレールを設置する場合は、屋根として用いる骨組みをサイドの部分から地上まで延長し、地上にレールを敷設させ、そのレールで支える構造によって開閉させる必要がある。その為、収納時にも地上にある程度のスペースが必要となり、競技エリア外も自由に動く必要性のあるスポーツ施設では利用出来ない。又、地上のレールにより転倒の危険性もある。【０００８】  以上が従来技術にある課題であるが、いずれの場合も人の手が届かない高さの開閉式テントの場合は相当のコストを要し、普及の障害になっている。【０００９】  従来、以上の方法しか無かったのは次の問題点がある為である。単純に上記の課題を解決する為にまず考えられる方法は、すべての構成要素を簡素化してはどうかという発想である。しかし、単純な方法では実現出来ない。軽いカーテンタイプのシートを屋根として利用し、シートに付属されるケーブルを地上から引く事によってカーテンのように屋根を開くという方法であれば、コストダウンと簡便な作業は実現出来る。しかしながら、単純にそれだけの方法の場合、天井部分の緊張状態を維持させるという最重要課題が解決しない。【００１０】  縦長の設置スペースにおいて、距離の長い方向を縦、短い方向を横とした場合に、緊張状態を維持させる為には、縦方向と横方向で補強用のケーブルが必要であり、さらに双方のケーブルに対して上方向に一定の負荷がかかった��張状態を構築しないと十分な効果を得られない。しかし、固定式の骨組みを持たない開閉式テントの場合は、縦横のケーブル同士をクロスさせて密着させた上、緊張状態を作るのは困難である。【００１１】  例えば、先に縦方向のケーブルを設営して、その後、縦方向のケーブルの下側に位置するように横方向のケーブルを設営するという手順を用いれば、長いケーブルを短いケーブルで支えるという形になり、一定の補強にはなる。しかし、地上面と並行の屋根となる為、雨が溜まりやすい。この場合、縦方向と横方向のケーブルの双方が上方向の力によって押し上げられて完全に密着した状態ではなく、シートが下がりすぎないように、クロスして支えているだけの状態となる為、シート全体にくぼみが作られその部分に雨が溜まるという事になる。又、収納時に横方向のケーブルが余った状態となり、ケーブルがからみあう可能性がある。すっきりとからまないように収納するには、各ケーブルを巻き込むリールを用意する等、かえって複雑な構造と設営方法となる。【００１２】  他の簡便な方法としては、シートを開く側の中央の支柱からあらかじめケーブルを垂らしておき、縦方向のケーブルを引いた後で、その垂らしたケーブルに結合させ、人力だけで引き上げるという方法がある。しかし、その場合は、垂らしたケーブルが利用されない時に支柱から完全に脱落しないように、、垂らしたケーブルの先端部分にストッパーが必要となる。ストッパーがあるとケーブル同士を結合しても、ケーブルを引く距離はストッパーまでとなり、縦方向のケーブルに緊張は与えられない。ケーブルを垂らす中央の支柱を地上から屋根の高さの２倍程度の高さにすれば、結合したケーブル同士がストッパーで止まったとしても縦方向のケーブルを緊張させる事は可能である。但し、その場合は全体が風に弱い不安定な形となるだけでなく、均等な緊張状態とはならない。【００１３】  電動構造にした場合も作業性については極めて簡便であるが、他の問題点はそのまま解決出来ない上、コストと設営時間の点では、最もデメリットの大きい手法となる。【００１４】  以上のように、既存の開閉式テントを進歩普及させる為の、最も根本的な課題は、いかにして簡便な作業と簡単な構造を用いて屋根の部分の緊張状態を構築するか、という事になる。
【課題を解決するための手段】
【００１５】  上述の課題を解決する為に、開閉用及び補強用として用いるケーブルを有すシートと、シートを開いた状態の時にシートの４隅に位置し、固定設置される４本の支柱と、
シートを開く側の支柱間の中間地点に位置し、固定設置される１本の支柱と、
開閉方向と平行に位置する支柱間を結ぶ２本のフレームと、
開閉方向と垂直に位置する支柱間を結ぶ２本のフレームから構成され、
シートを開く側の支柱間の中間地点に位置し、固定設置される１本の支柱には、開閉用に用いるケーブルを固定させる接合部及び動滑車を有し、
シートを開く側の支柱間のフレームには動滑車を支柱上部に引き上げる定滑車及びケーブルを有し、
開閉方向と平行に位置する支柱間を結ぶ２本のフレームにはシートをつるし移動させる接合部を有す状態で、
開閉用として用いるケーブルを、動滑車の上部を通して支柱に固定した上で、動滑車を支柱上部に移動させる時に、
開閉用として用いるケーブルが、動滑車の移動と連動してシート全体の緊張状態を高める構造を特徴とする。【００１６】  開閉用に用いるケーブルを支柱に固定した時に、シートを開く方向のシートの端と、シートを開く方向へシートの端を地上面と水平に延長した場合に支柱と交わる箇所と、開閉用に用いるケーブルを固定した支点が、直角三角形の形となる事を特徴とする。【００１７】  開閉方向に対して垂直な位置関係にある補強用ケーブルが、シートを支えながら、シートの両端に位置する、フレームとシートの接合部同士をつなぎ、シートを閉じたときには、シートがジャバラ状に収納される事を特徴とする。【００１８】  開閉用として用いるケーブルが、動滑車に付属し動滑車に対して垂直方向に備えられる滑車の上部を経由して固定される事を特徴とする。
【発明の効果】
【００１９】  本発明によって、従来の製品よりも、コストダウン、設営時間の迅速化、１人でも作業が可能、収納時にも地上部分にはスペースを必要としない、天井部分の緊張状態の維持、雨の溜まりにくい構造というすべての要素を満たす事が可能である。【００２０】  まず、全体に頑丈なフレーム構造を持たせるよりも設置スペースに合わせた特注部分が少なく、パーツの標準化が可能であり、コストダウンが実現する。屋根の開閉は利用者がケーブルを引くだけの作業で完了するという簡便な方法であり、設営時間も迅速化し、１人での作業も十分可能である。レール構造とはなっていない為、前後の地上部分には何も必要なくこの部分でもコストダウンとなる。最大のテーマである、簡便な方法によって屋根を強く緊張した状態にする事も動滑車を用いた事により実現する。前後左右に補強ケーブルを相互に密着させた状態で上方向に緊張させる為、既存製品と同等の強度を持つだけでなく屋根の部分がほぼ均等に曲線になる為、雨が溜まるという事もない。【００２１】  本発明により、以上の各要素がすべて解決され、結果的に多くのスポーツ施設、作業現場、イベント施設において、降雨対策や直射日光対策が飛躍的に進むという効果がある。
【発明を実施するための最良の形態】
【実施例】
【００２２】  続いて、上述の発明を図面を参照して詳細に説明する。図１は、テントを張る前の状態の図であり、テントを設営させる場所にシート５の重量に耐えうる程度の支柱１を４コーナに固定設置させる。シート５を移動させる為のフレームとして用いるケーブル３を開閉方向と水平に緊張させて取り付ける。シート５の端からは地上の作業者がシート５を引く為の開閉用ケーブル６を地上まで伸ばす。開閉用ケーブル６は開閉に利用すると同時にシート５の補強でも利用する為、シート５を支えながら、収納する側のフレーム２ａともつないでおく。収納時と反対側の支柱間の中間地点に支柱よりも高さのある支柱４を設置する。支柱４には垂直方向と水平方向に同時に回転する動滑車７を装備する。開閉方向と垂直関係に位置するフレーム２ａ及び２ｂは中央部分が最も高い位置となるように、アーチ型か三角形を保つ形状とし、支柱１に固定設置させる。【００２３】  続いて、図２は開閉作業中の図である。開閉方向と垂直方向に補強するケーブル１３及びシート５はリング１２で左右のフレーム３とつながれ可動式とする。尚、補強用ケーブル１３は開閉用ケーブル６とシート５の間に位置し、シート５を支える役割となる。この時に補強用ケーブル１３が開閉用ケーブル６の下側に位置した場合、全体の緊張状態を作り出せない為、必ず開閉用ケーブル６の上側に位置する必要がある。シート５を開くときは、開閉用ケーブル６を地上から作業者が手に持って引く事によって、反対側の端まで可動させる。次に開閉用ケーブル６を動滑車７の上部を通して中央支柱４の下部に固定させる。定滑車８と動滑車７はフレーム２ｂに備えられたケーブル９でつながり、ケーブル９を上部の定滑車８を利用して地上から引く事によって中央の動滑車７を引き上げる仕組みとする。開閉用ケーブル６を支柱４の下部に固定した時、シート５の端と、シート５の端を地上面と水平に延長して支柱４と交わる場所と、開閉用ケーブルを固定した支点が、直角三角形の位置関係となる。開閉用ケーブル６は動滑車７の上部を通して固定されている為、動滑車７が支柱４の上部に引き上げられるだけで開閉用ケーブル６は支柱４側に押し付けられる形となって引かれ、段階的に緊張状態が高まる。支柱４の最上部に動滑車７が到達した時には開閉用ケーブル６と補強用ケーブル１３の緊張が同時に高まる構造とする。この構造の場合、作業者によって開閉用ケーブル６をたるませて固定させたとしても、動滑車７が上部に移動する過程で開閉用ケーブル６のたるみは自然に調整され、作業完了の時点では常に同じ緊張状態となる。又、動滑車のまわりは支柱４によって囲まれる為、作業の途中で開閉用ケーブル６が動滑車７からはずれる心配もない。中央部分はほぼ均等に高い位置で固定される為、雨が溜まるという事も防いでいる。【００２４】  尚、中央部分のみ強い負荷がかかる事を避ける為、シート５の左右の端にもケーブル１０を備え支柱１に固定させる。さらに、雨の浸入を防ぐ為にカーテン１１も備える。収納する際はケーブル９を固定した支点から取り外し、動滑車７を自然の重力によって下部まで移動させる。次に、開閉用ケーブル６を固定した支点からはずし、収納する側にシート５を引き戻すだけで完了とする。収納時の作業も簡便である。【００２５】  動滑車７を用いた事により、ケーブル９を引く力は実際にかかる負荷の１／２となり、テニスコート程度をカバーする大きさであれば、人力で作業が可能である。シートの大きさによって、さらに負荷を軽減させる必要がある場合は、動滑車７及び定滑車８の数を増やす事によって負荷軽減を図る。又、支柱１にケーブル９を巻き込むリールを用意しても良い。シート５をつなぐ部分をレールでは無く、ケーブル３とした事により、設営スペースの大小に関わらず、柔軟に対応が可能で個別の特注の部分が減らす事が可能で、工事も簡便となり、コストダウンが図れる。さらに、屋根から下のサイドの部分には、簡便なカーテンだけとなる為、収納時は最小限のスペースでよく、テニス等のプレーにも支障が出ない。まず開閉用ケーブル６を引いて、その後に緊張させる為のケーブル９を引いて固定させるという２回の作業だけで設営が完了する為、作業時間も数分で終了する。
【産業上の利用可能性】
【００２６】  通常は屋根が無い状態が望まれ、雨の時のみ屋根が必要で、あたらしくインドア設備を構築するスペースや費用が無い場合に最も効果を発揮する発明となっている。【００２７】  具体的には、屋外設備しかないテニスコートに後から屋根をつける場合に最も適している。テニスプレーの場合、ロビングショットというプレーがあり、上部の屋根の部分、又は屋根を支えるフレームの部分にボールが当たる為、出来れば屋根は無い方が良い。しかし、降雨時の大会運営の支障に対する不満や、せっかく予約した日にプレー出来ないという不満は極めて強く、潜在的にインドアコートに対する要求は強い。但し、ロビングショットに影響の無い高さのインドアテニスコートを建築する場合、相当の費用とスペースが必要となりなかなか復旧していない。（インドテニスコートの普及率−約１２〜１３％程度）又、テニスコートの大きさは規格によってどこも同じスペースとなっているが、土地スペースの制限により、バックラインの後ろの部分はテニスコートによってまちまちである。その場合、本発明が特に有効であり、シートを移動させる部分はケーブルの利用が可能な為、大きさの調整は柔軟に対応出来る。【００２８】  テニスコート以外でも同程度の大きさと高さを必要とするスポーツ施設で利用が可能である。スポーツ施設以外の利用方法としては、クレーンを用いて搬入する必要がある場所で、搬入後は簡易に屋根のシートを設営する必要がある場合に有効である。又、イベント会場においても、人の手が届かない高さの屋根が必要で、簡単に設営、撤去が必要な場合等に応用出来る。
【図面の簡単な説明】
【図１】  シートの屋根を開く前の収納した状態を示す図である。
【図２】  シートの屋根を開く作業の途中の状態を示す図である。
【図３】  シートの屋根の設営が完了した状態を示す図である。
【図４】  動滑車７の拡大図である。開閉用ケーブル６を固定する時に経由する滑車１４と引き上げる為の滑車１５と接合部分１６から構成される。又、動滑車７がぐらつく事なくスムーズに上部に引き上げらる為の支柱４との接合部分１７を備えている。
【図５】  開閉用ケーブル６を固定した後、動滑車７を引き上げる過程のを示す図である。
【図６】  開閉用ケーブル６を固定した時を背面から見た時の状態を示す図である。
【符号の説明】
１、支柱
２、開閉方向に対して垂直に位置する支柱間を結ぶフレーム
３、開閉方向に対して平行に位置する支柱間を結ぶフレーム
４、動滑車を有する支柱
５、シート
６、開閉用ケーブル
７、動滑車
８、定滑車
９、動滑車を移動させるケーブル
１０、補助ケーブル
１１、カーテン
１２、リング
１３、補強用ケーブル
１４、動滑車に付属する滑車
１５、動滑車の回転部
１６、付属する滑車との接合部
１７、支柱との接点
【図１】
2005213997.tif 000003
【図２】
2005213997.tif 000004
【図３】
2005213997.tif 000005
【図４】
2005213997.tif 000006
【図５】
2005213997.tif 000007
【図６】
2005213997.tif 000008